(57)【要約】【課題】組立施工及びメンテナンスが容易な音発生機能を有する住宅設備機器を提供する。【解決手段】例えば、住宅設備機器の構成部材の一つである流し台キャビネット２の収納空間つの奥部に配される仕切板１１に、取り外し可能な着脱可能部材（覆蓋板１４）を取着し、この着脱可能部材１４に音発生用の振動発生器（エキサイター４）を着脱自在に取り付けている。これにより、住宅設備機器の構成部材１１から振動発生器４を任意に分離することが可能となる。従って、施工時には、住宅設備機器の構成部材１１を施工した後に、着脱可能部材１４を介して振動発生器４を前記構成部材１１へ取り付ければよく、また施工後にあっては、メンテナンス時に随時、着脱可能部材１４を前記構成部材１１から取り外し、更に振動発生器４を取り外して保守点検作業を行えばよい。【選択図】  図１
2006101961.tif 000002
【特許請求の範囲】
【請求項１】
音発生用の振動発生器を備えた住宅設備機器において、該住宅設備機器の構成部材に取り外し可能な着脱可能部材を取着し、該着脱可能部材に振動発生器を取り付けたことを特徴とする音発生機能を有する住宅設備機器。
【請求項２】
前記着脱可能部材を振動板で形成し、前記振動発生器を前記着脱可能部材に取着し、該振動発生器で着脱可能部材を振動させて発音させるようにした請求項１に記載の音発生機能を有する住宅設備機器。
【請求項３】
前記着脱可能部材に振動発生器を着脱自在に取着した請求項２に記載の音発生機能を有する住宅設備機器。
【請求項４】
前記住宅設備機器の構成部材に、作業口を設け、該作業口を前記着脱可能部材で覆蓋するようにした請求項１〜３のいずれか１つに記載の音発生機能を有する住宅設備機器。
【請求項５】
住宅設備機器の外側に臨まない前記着脱可能部材の裏面側に、前記振動発生器を配置した請求項１〜４のいずれか１つに記載の音発生機能を有する住宅設備機器。
【請求項６】
前記着脱可能部材を、キャビネットの収納空間に面する面材で形成した請求項４又は５に記載の音発生機能を有する住宅設備機器。
【請求項７】
前記着脱可能部材を、膝収納空間に面する面材で形成した請求項４又は５に記載の音発生機能を有する住宅設備機器。
【請求項８】
前記着脱可能部材を、浴室内に面する面材で形成した請求項４又は５に記載の音発生機能を有する住宅設備機器。
【発明の詳細な説明】
【技術分野】
【０００１】
本発明は、キッチンや浴室、洗面等における各設備のキャビネットに、着脱自在に発音装置を取り付け、音響効果を楽しむことができるようにした技術に関するものである。
【背景技術】
【０００２】
例えば、流し台、ガス台等のキッチン設備、また浴槽、浴室壁パネル、浴室天井板等の浴室設備、更には洗面器、洗面化粧台等の洗面設備を構成する部材に、スピーカーを取り付け、これらの設備の外側へ音声を発するようにすることで、各設備の利用者が音響効果楽しむことができるようにしたものがある。特許文献１に記載された技術は、キッチンキャビネットに設置した音響装置についてのものであり、特許文献２に記載された技術は、浴室の構成部材に設置した音響装置についてのものである。
【０００３】
特許文献１に示す技術は、キッチンキャビネットの使用者の足元部に対応する蹴込み空間内に音響再生用のスピーカーを取り付けることで、キッチンシンクで発生する湯の蒸気や水滴などの影響を受けにくくし、耐久性の向上を実現している。また蹴込み空間内にスピーカーを設置することで、蹴込み空間がエンクロージャーとして機能し、素直な低域特性が得られるようにしている。
【０００４】
一方、特許文献２に示す技術は、バスタブとバスタブエプロンとの間の閉空間内にスピーカーを設置し、該閉空間内の振動音をバスタブエプロンを介して洗場上に伝搬させることで、入浴者の頭部より下方から音楽が再生されるようにし、バスルーム内に良好な音響効果を得るようにしている。またこの特許文献２の技術では、バスタブエプロンの裏面側や収納棚内のバッフル板等に直接、スピーカーを設置するようにしている。
【特許文献１】特開２００３−８８４３３号公報
【特許文献２】特開２００３−７９５２８号公報
【発明の開示】
【発明が解決しようとする課題】
【０００５】
ところが、特許文献１に記載された技術では、閉鎖された蹴込み空間内において、キッチンキャビネットの蹴込み板の裏面側に、スピーカーを設置するようにしている。また特許文献２に記載された技術では、閉鎖された空間内において、バスタブエプロンの裏面側にスピーカーを設置するようにしている。このような蹴込み空間及びバスタブエプロン裏面側の空間では、あらかじめ蹴込み板やバスタブエプロンの裏面側にスピーカーを取り付けておかなければならなかった。
そのため、キッチンキャビネットやバスタブの設備を組み立てるときに、スピーカーを破損させないように注意を払って行う必要があり、組立工数の増大となる欠点があった。またスピーカーをメンテナンスするとき、設備を一部分解して行う必要があり、手間がかかるという欠点もあった。
【０００６】
本発明は従来の前記課題に鑑みてこれを改良除去したものであって、組立施工及びメンテナンスが容易な音発生機能を有する住宅設備機器を提供せんとするものである。
【課題を解決するための手段】
【０００７】
而して、前記課題を解決するために本発明が採用した請求項１の手段は、音発生用の振動発生器を備えた住宅設備機器において、該住宅設備機器の構成部材に取り外し可能な着脱可能部材を取着し、該着脱可能部材に振動発生器を取り付けたことを特徴とする音発生機能を有する住宅設備機器である。
【０００８】
本発明が採用した請求項２の手段は、前記着脱可能部材を振動板で形成し、前記振動発生器を前記着脱可能部材に取着し、該振動発生器で着脱可能部材を振動させて発音させるようにした請求項１に記載の音発生機能を有する住宅設備機器である。
【０００９】
本発明が採用した請求項３の手段は、前記着脱可能部材に振動発生器を着脱自在に取着した請求項２に記載の音発生機能を有する住宅設備機器である。
【００１０】
本発明が採用した請求項４の手段は、前記住宅設備機器の構成部材に、作業口を設け、該作業口を前記着脱可能部材で覆蓋するようにした請求項１〜３のいずれか１つに記載の音発生機能を有する住宅設備機器である。
【００１１】
本発明が採用した請求項５の手段は、住宅設備機器の外側に臨まない前記着脱可能部材の裏面側に、前記振動発生器を配置した請求項１〜４のいずれか１つに記載の音発生機能を有する住宅設備機器である。
【００１２】
本発明が採用した請求項６の手段は、前記着脱可能部材をキャビネットの収納空間に面する面材で形成した請求項４又は５に記載の音発生機能を有する住宅設備機器である。
【００１３】
本発明が採用した請求項７の手段は、前記着脱可能部材を、膝収納空間に面する面材で形成した請求項４又は５に記載の音発生機能を有する住宅設備機器である。
【００１４】
本発明が採用した請求項８の手段は、前記着脱可能部材を、浴室内に面する面材で形成した請求項４又は５に記載の音発生機能を有する住宅設備機器である。
【発明の効果】
【００１５】
請求項１の発明にあっては、住宅設備機器の構成部材に、取り外し可能な着脱可能部材を取着し、この着脱可能部材に音発生用の振動発生器を取り付けている。これにより、住宅設備機器の構成部材から振動発生器を任意に分離することが可能となる。従って、施工時には、住宅設備機器の構成部材を施工した後に、着脱可能部材を介して振動発生器を前記構成部材へ取り付ければよく、また施工後にあっては、メンテナンス時に随時、着脱可能部材を前記構成部材から取り外し、更に振動発生器を前記着脱可能部材から取り外して保守点検作業を行えばよい。
【００１６】
請求項２の発明にあっては、住宅設備機器の構成部材に取り外し可能に取り付けた着脱可能部材を振動板で形成している。そして、振動発生器を、前記着脱可能部材に取着し、該着脱可能部材を振動させて発音させるようにしている。このように、この発明では着脱可能部材が振動することで発音するため、平面スピーカーを構成することが可能であり、突出部分がないため、コンパクトに構成できる利点がある。
【００１７】
請求項３の発明にあっては、前記請求項２の発明の着脱可能部材に振動発生器を着脱自在に取着しており、振動発生器の施工及びメンテナンスが容易である。また振動発生器を取り付ける着脱可能部材を変更することが可能であり、着脱可能部材の材質として木質板や各種金属板又はプラスチック板等を適宜選択することにより、発生する音や音色の周波数帯を変えることができる。
【００１８】
請求項４の発明にあっては、住宅設備機器の構成部材に作業口を設け、この作業口を前記着脱可能部材で覆蓋するようにている。そのため、作業口の空洞にスピーカーの配線をすることができ、配線の施工及びメンテナンスが容易となる。また部品点数を少なくすることが可能である。
【００１９】
請求項５の発明にあっては、請求項１〜４の発明において、住宅設備機器の外側に臨まない着脱可能部材の裏面側に、前記振動発生器を配置している。これにより、振動発生器及び着脱可能部材の施工性とメンテナンス性を良好に確保した上で、振動発生器を露出させないようにして見栄えを良くし、振動発生器の保護を実現することが可能である。
【００２０】
請求項６の発明にあっては、住宅設備機器の構成部材を、キャビネットの収納空間に面する面材で形成しており、比較的に広い空間であるキャビネットの収納空間を利用してメンテナンスが可能である。
【００２１】
請求項７の発明にあっては、住宅設備機器の構成部材を、膝収納空間に面する面材で形成している。洗面台等のキャビネットにあっては、膝収納空間を備えたものがあり、この膝収納空間に面する面材を、音発生用の振動発生器を備えた住宅設備機器の構成部材とすることで、振動発生器のメンテナンスを前記膝収納空間から行うことができ、その作業性に優れている。
【００２２】
請求項８の発明にあっては、音発生用の振動発生器を備えた住宅設備機器の構成部材を、浴室内に面する面材で形成している。従って、振動発生器のメンテナンスを浴室内の広い空間領域から行うことができ、その作業性に優れている。
【発明を実施するための最良の形態】
【００２３】
以下に、本発明の構成を図面に示す発明の実施の形態に基づいて説明すると次の通りである。図１〜図３は、本発明の第１の実施の形態に係るものであり、音発生用の振動発生器を備えた設備として対面式キッチン流し台１のキャビネット２を対象とした場合のものである。図１の図（Ａ）は、キャビネット２の前面扉３を部分的に断面したキッチン流し台１の正面図、図（Ｂ）はキッチン流し台１の縦断面側面図である。図２の図（Ａ）は音発生用の振動発生器としてエキサイター４を用いた場合の部分断面平面図、図（Ｂ）は同正面図である。図３はエキサイター４及び覆蓋板１４の取り付け部分を拡大して示す縦断面図である。
【００２４】
対面式のキッチン流し台１は、手前側の上部に配設されたシンク５寄りの正面側がキッチンに面しており、奥部の上面に配設されたカウンター６の背面側はリビング又はダイニング等に面している。キャビネット２の正面側には、上部に幕板７が取り付けられ、その下方に観音開き式等の前面扉３が取り付けられ、足元に対応する床面側に蹴込み板８が取り付けられている。前面扉３を開くと、内部は収納空間９が形成されている。この収納空間９内において、背板１０の手前側には設備構成部材の一つとしての仕切板１１が設けられており、背板１０との間に配管及び配線用の空間１２が形成されている。そして、仕切板１１の配管接続部に対応する位置には、作業口１３が開口されており、覆蓋板１４が着脱自在に取り付けられている。覆蓋板１４は、必要に応じて取り外し又は再取り付けがなされ、随時、配管接続部等の保守点検等が行えるようにしている。また設備構成部材の一つとしての収納空間９の底板１５には、蹴込み空間１６を音響室として利用するための開口１７が形成されており、覆蓋板１８が着脱自在に取り付けられている。一方、カウンター６のリビング又はダイニング等に面した部分には、収納棚１９が複数段形成されており、コップ、コーヒーカップ、食器、又は本や雑誌等が収納できるようになっている。
【００２５】
而して、前記仕切板１１の作業口１３に取り付けられた覆蓋板１４と、底板１５の開口１７に取り付けられた覆蓋板１８とは、同一の構成であり、それぞれの裏面側には音発生用の振動発生器としてのエキサイター４が着脱自在に取り付けられている。図２の図（Ａ）及び図（Ｂ）はエキサイター４の構成並びにその取付構造を示すものであり、また図３は仕切板１１の覆蓋板１４及びエキサイター４の取付構造を示すものである。
【００２６】
エキサイター４は、図２の図（Ａ）及び図（Ｂ）に示す通りであり、皿状に形成したヨーク２０と、ヨーク２０の凹部に取り付けた磁石２１と、磁石２１の外周に嵌合装着したボビン２２と、ボビン２２の外周面に巻回したボイスコイル２３と、ヨーク２０及びボビン２２の二部材を連結するダンパー２４と、ボビン２２の先端側に設けた出力部（フランジ）２５とを備えている。また磁石２１の上面側にはプレート２６が積層され、更に消磁用磁石２７が積層されている。これらは磁気回路２８を構成し、ボイスコイル２３との間で磁気ギャップを形成する。また出力部２５は、木質，セラミック質等の音質調整具２９を介して覆蓋板１４に接しており、筒状のケーシング３０をビス３１等で連結することにより、覆蓋板１４の裏面側にエキサイター４の全体を取り付けるようにしている。ケーシング２９の他端面側には、環状の切欠きを間欠的に且つ多重に形成することで、バネ性を付与した押圧具３２が取り付けられており、エキサイター４を覆蓋板１４に対して押圧付勢している。
【００２７】
エキサイター４の音発生原理は、ボイスコイル２３に音響再生信号が流れると、その強さに応じてボイスコイル２３と共にボビン２２がピストン運動し、ボビン２２の先端側の振動出力部２５に当接する覆蓋板１４を振動させて音を再生するものである。なお、前記音発生器は、エキサイター（励振器）４に限定するものではなく、図示は省略したが、電磁コイルで生じる磁界変化で超磁歪ロッドを伸縮させる超磁歪式アクチュエータ−や、圧電振動子を用いたアクチュエータ等を選択することも可能である。
【００２８】
エキサイター４が取り付けられた覆蓋板１４は、図３に示すように、仕切板１１の作業口１３を覆うべく、防振材３３，３４を介してボルト３５及びナット３６によって着脱自在に取り付けられている。従って、エキサイター４の振動は覆蓋板１４に伝達されて当該覆蓋板１４が振動することにより発音するが、覆蓋板１４から仕切板１１への振動の伝達は防振材３３，３４によって阻止されており、仕切板１１及びキャビネット４の全体が振動して音を発生するようなことはない。つまり、覆蓋板１４を振動板として利用し、エキサイター４の振動をこの覆蓋板１４にのみ伝達することで、キャビネット４の収納空間９内で音を発生するようにしている。このとき、配管又は配線用空間１２は、エンクロージャーとしての働きを有している。
また同様に、エキサイター４が取り付けられた底板１５の覆蓋板１８からも収納空間９に対して音が発生する。このとき、蹴込み用空間１６はエンクロージャーとしての働きを有している。                                                                      
【００２９】
このように覆蓋板１４及び１８を振動板として利用することにより、平面スピーカーを構成することができ、スピーカー部品を別途準備する必要がなく、部品点数を少なくすることができる。しかも、覆蓋板１４及び１８の材質を木質板や各種金属板又はプラスチック板等から適宜選択することにより、発生する音や音色の周波数帯並びに波形を変えることができる。また作業口１３や開口１７はエキサイター４の配線をするための開口として利用することができ、その作業が容易である。
【００３０】
更に、平面スピーカーとしての覆蓋板１４及び１８は、キャビネット４内の広い収納空間４に面しており、この領域において着脱作業を行うことができるので、施工時の作業も容易であり、また施工後においてメンテナンスのために覆蓋板１４及び１８を着脱する作業も容易である。更にまた、平面スピーカーとしての覆蓋板１４及び１８が直接、外部から見えることがなく、見栄えが良いという利点もある。
【００３１】
図４は本発明の第２の実施の形態に係るものであり、対面式キッチンのレンジ台３５へ適用した場合のものである。同図の図（Ａ）は、キャビネット２の前扉３を部分的に断面したレンジ台３５の全体を示す正面図であり、図（Ｂ）は同縦断面側面図である。レンジ台３５は、流し台１のシンク５の代わりにレンジ３６が取り付けられている点が流し台１と相違するのみであり、他の点については同じである。またエキサイター４を裏面側に着脱自在に取り付けた覆蓋板１４及び１８が、収納空間９に面する仕切板１４と底板１５とに着脱自在に取り付けられる点及び仕切板１４，底板１５が設備構成部材の一つである点についても同じであり、ここでの説明は省略する。なお、図４には同一部材は同一符号を付している。
【００３２】
図５は本発明の第３の実施の形態に係るものであり、壁面３７へ取り付けられる洗面台３８へ適用した場合のものである。図（Ａ）は、キャビネットの前扉３を部分的に断面した洗面台３８の全体を示す正面図、図（Ｂ）は同縦断面側面図である。洗面台３８は、収納空間９の奥部寄りに配管又は配線用の空間３９を確保するための仕切板４０が設けられており、該仕切板４０の作業口４１に覆蓋板１４が着脱自在に取り付けられている。仕切板４０は、設備構成部材の一つである。前記覆蓋板１４の裏面側にはエキサイター４が着脱自在に取り付けられている。更に、収納空間９に面する設備構成部材の一つである底板１５の開口１７には、覆蓋板１８が着脱自在に取り付けられており、その裏面側にはエキサイター４が着脱自在に取り付けられている。更にまた、収納空間９内において、洗面器４２の下面側をカバーする設備構成部材の一つである天井板４３には開口４４が形成されており、収納空間９に面する側から覆蓋板４５が着脱自在に取り付けられている。この覆蓋板４５の裏面側にもエキサイター４が着脱自在に取り付けられている。エキサイター４の構成並びに各覆蓋板の取付構造等は、前記各実施の形態の場合と同じである。
【００３３】
図６は本発明の第４の実施の形態に係るものであり、壁面３７へ取り付けられる膝空間（ニースペース）４６を備えた洗面台４７へ適用した場合のものである。同図の図（Ａ）は洗面台４７の全体を示す正面図、図（Ｂ）は膝空間４６の部分で縦断面した側面図である。この第４の実施の形態では、膝空間４６と配管又は配線用の空間３９とを区画する仕切板４０と、膝空間４６に面する左右の収納ボックス４７，４７の左右内側面板４８の一方、又は両方と、洗面器４２の下方を区画する天井板４３とに作業口４１，開口４４等を設け、覆蓋板１４、４５を着脱自在に取り付けている。仕切板４０と左右内側面板４８と天井板４３とは、それぞれ設備構成部材の一つである。そして、これらの覆蓋板１４，４５の裏面側にエキサイター４を着脱自在に取り付けている。覆蓋板１４、４５と、エキサイター４の取付構造並びにその作用効果については、前記各実施の形態の場合と同じである。
【００３４】
図７は本発明の第５の実施の形態に係るものであり、浴槽４９の一部を断面して浴槽全体の平面図である。この実施の形態では、浴槽４９の洗場側に設置されるエプロン５０を設備構成部材の一つとして選択し、その作業口５１に洗場側から覆蓋板１４を着脱自在に取り付け、該覆蓋板１４の裏面側にエキサイター４を着脱自在に取り付けている。このような取付構造であれば、広い空間である洗場側から覆蓋板１４の着脱作業を行うことができ、施工及びメンテナンス作業等が容易である。また浴室においては、エプロン５０以外に、壁パネルや天井板等を設備構成部材の一つとして選択することが可能である。
【産業上の利用可能性】
【００３５】
本発明は上述した実施の形態に限定されるものではなく、適宜の変更が可能である。例えば、音発生用の振動発生器としては、エキサイター４の場合を例に説明したが、他にも超磁歪式のアクチュエータや圧電振動子を用いたアクチュエータ等が適用可能である。超磁歪式のアクチュエータは、電磁コイルで生じる磁界変化で超磁歪ロッドを伸縮させて振動を発生させるものである。その構成は、ケーシング内に、音信号が流れる電磁コイルと、電磁コイルで生ずる磁界変化により自由端側が伸縮する超磁歪ロッドと、超磁歪ロッドの圧縮方向にプリストレスを付与するスプリングと、超磁歪ロッドにバイアス磁界を付与する磁石とが内臓されており、超磁歪ロッドの自由端にプッシュロッドが連結してある。電磁コイルに音声信号が流れると磁界変化が生じ、超磁歪ロッドを伸縮させて音声信号に応じた変位をプッシュロッドの先端出力部に発生させるようになっている。
【図面の簡単な説明】
【００３６】
【図１】本発明の第１の実施の形態に係るものであり、図（Ａ）は、キャビネットの前面扉を部分的に断面したキッチン流し台の正面図、図（Ｂ）は同流し台の縦断面側面図である。
【図２】本発明の第１の実施の形態に係るものであり、図（Ａ）は音発生用の振動発生器としてエキサイターを用いた場合の部分断面平面図、図（Ｂ）は同正面図である。
【図３】本発明の第１の実施の形態に係るものであり、エキサイター及び覆蓋板の取り付け部分を拡大して示す縦断面図である。
【図４】本発明の第２の実施の形態に係るものであり、図（Ａ）はキャビネットの前扉を部分的に断面したレンジ台の全体を示す正面図であり、図（Ｂ）は同縦断面側面図である。
【図５】本発明の第３の実施の形態に係るものであり、図（Ａ）はキャビネットの前扉を部分的に断面した洗面台の全体を示す正面図、図（Ｂ）は同縦断面側面図である。
【図６】本発明の第４の実施の形態に係るものであり、図（Ａ）は膝空間を備えた洗面台の全体を示す正面図、図（Ｂ）は膝空間の部分で断面した洗面台の縦断面側面図である。
【図７】本発明の第５の実施の形態に係るものであり、浴槽の一部を断面して浴槽全体の平面図である。
【符号の説明】
【００３７】
１…対面式キッチンの流し台、２…キャビネット、３…前扉、４…エキサイター、５…  シンク、９…収納空間、１０…背面板、１１…仕切板（住宅設備機器の構成部材の一つ  ）、１２…配管及び配線空間、１３…作業口、１４…覆蓋板、１５…底板（住宅設備機  器の構成部材の一つ）、蹴込み空間、１７…開口、１８…覆蓋板
【図１】
2006101961.tif 000003
【図２】
2006101961.tif 000004
【図３】
2006101961.tif 000005
【図４】
2006101961.tif 000006
【図５】
2006101961.tif 000007
【図６】
2006101961.tif 000008
【図７】
2006101961.tif 000009